(57)【特許請求の範囲】
【請求項１】
並列して配置された複数の梁に直交して架設された三本以上の垂木と、隣接する垂木間に配置された複数の屋根材と、この複数の屋根材の上側に設けられた太陽光発電装置とを備える太陽光発電装置付き屋根であって、
前記複数の屋根材の各々は、隣接している双方の垂木側に位置する両端部が当該隣接している双方の垂木の上面に当接して前記複数の梁に支持され、
前記太陽光発電装置は、各垂木の上面で当接している双方の屋根材の端部を当該各垂木の上面に押さえながら当該各垂木の上面に固定されていることを特徴とする太陽光発電装置付き屋根。
【請求項２】
請求項１に記載の太陽光発電装置付き屋根において、
前記太陽光発電装置は下側にアースブラケットを備え、このアースブラケットを用いて前記各垂木の上面に固定されていることを特徴とする太陽光発電装置付き屋根。
【請求項３】
請求項２に記載の太陽光発電装置付き屋根において、
前記太陽光発電装置は、前記アースブラケットを覆うカバーを備えることを特徴とする太陽光発電装置付き屋根。
【請求項４】
請求項１〜請求項３のいずれか１項に記載の太陽光発電装置付き屋根において、
前記各屋根材と前記複数の梁との間には前記各屋根材の振動を吸収する振動吸収材が介在していることを特徴とする太陽光発電装置付き屋根。
【請求項５】
請求項１〜請求項４のいずれか１項に記載の太陽光発電装置付き屋根において、
前記各垂木の一方側には、前記太陽光発電装置の上面から前記各屋根材内に入った雨水を受けるパラペット一体型の軒樋が配置され、この軒樋には前記雨水を排出する縦樋が接続されていることを特徴とする太陽光発電装置付き屋根。
【請求項６】
請求項１〜請求項５のいずれか１項に記載の太陽光発電装置付き屋根において、
前記各垂木の上面で隣接している双方の屋根材の端部が前記太陽光発電装置で押さえられていない場合には、押圧部材を用いて当該双方の屋根材の端部を対応する垂木の上面に押さえて固定することを特徴とする太陽光発電装置付き屋根。
【請求項７】
車両の出し入れ方向に並列して配置された複数の左右一組の柱および各左右一組の柱に結合した複数の梁を有するカーポート本体と、
前記複数の梁の上側に設けられた請求項１〜請求項６のいずれか１項に記載の太陽光発電装置付き屋根とを備えることを特徴とするカーポート。
【発明の詳細な説明】
【技術分野】
【０００１】
本件発明は、カーポート等に設けられる太陽光発電装置付き屋根に関する。
【背景技術】
【０００２】
従来、カーポート等に設けられる太陽光発電装置付き屋根としては、例えば特許文献１に示すような太陽光発電装置付き屋根が提案されている。この太陽光発電装置付き屋根は、カーポート本体を構成している複数の梁に支持された屋根材（折板屋根）と、この屋根材の上面に梁と直交して取り付けられた複数の縦材と、この複数の縦材の上面に取り付けられた太陽光発電装置とを備えている。
【先行技術文献】
【特許文献】
【０００３】
【特許文献１】特許第３７３０８４１号公報
【発明の概要】
【発明が解決しようとする課題】
【０００４】
しかしながら、特許文献１の太陽光発電装置付き屋根は、屋根材と太陽光発電装置との間に縦材が介在していることから、縦材を屋根材と太陽光発電装置の双方に取り付けなければならない。そのために多くの部品が必要となり、製造コストが大幅にかかっていた。
【０００５】
本件発明は、このような従来の課題に鑑みてなされたものであり、製造コストを抑えることができる太陽光発電装置付き屋根およびこれを備えたカーポートを提供することを目的とする。
【課題を解決するための手段】
【０００６】
本件発明者等は、鋭意研究の結果、前記課題を解決するために以下のような太陽光発電装置付き屋根およびカーポートを採用した。
【０００７】
本件発明の太陽光発電装置付き屋根は、
並列して配置された複数の梁に直交して架設された三本以上の垂木と、隣接する垂木間に配置された複数の屋根材と、この複数の屋根材の上側に設けられた太陽光発電装置とを備える太陽光発電装置付き屋根であって、
前記複数の屋根材の各々は、隣接している双方の垂木側に位置する両端部が当該隣接している双方の垂木の上面に当接して前記複数の梁に支持され、
前記太陽光発電装置は、各垂木の上面で当接している双方の屋根材の端部を当該各垂木の上面に押さえながら当該各垂木の上面に固定されていることを特徴とする。
【０００８】
ここで、太陽光発電装置は下側にアースブラケットを備え、このアースブラケットを用いて各垂木の上面に固定されるようにしても良い。
【０００９】
さらに、太陽光発電装置は、アースブラケットを覆うカバーを備えるようにしても良い。
【００１０】
また、各屋根材と複数の梁との間に各屋根材の振動を吸収する振動吸収材を介在させても良い。
【００１１】
また、各垂木の一方側に、太陽光発電装置の上面から各屋根材内に入った雨水を受けるパラペット一体型の軒樋を配置し、この軒樋に雨水を排出する縦樋を接続しても良い。
【００１２】
また、各垂木の上面で隣接している双方の屋根材の端部が太陽光発電装置で押さえられていない場合には、押圧部材を用いて双方の屋根材の端部を対応する垂木の上面に押さえて固定することが好ましい。
【００１３】
また、本件発明のカーポートは、車両の出し入れ方向に並列して配置された複数の左右一組の柱および各左右一組の柱に結合した複数の梁を有するカーポート本体と、
前記複数の梁の上側に設けられた本件発明の太陽光発電装置付き屋根とを備えることを特徴とする。
【発明の効果】
【００１４】
本件発明の太陽光発電装置付き屋根は、各垂木の上面に当接している双方の屋根材の端部を太陽光発電装置で押さえながら太陽光発電装置を各垂木の上面に固定した。これにより、太陽光発電装置と屋根材との間には取り付け部材を介在させる必要がないので、太陽光発電装置を屋根材に固定する際の部品点数が削減される。よって、製造コストを抑えることができる。また、本件発明のカーポートは、本件発明の太陽光発電装置付き屋根を備えたことにより、従来のカーポートに比べて製造コストを抑えることができる。
【図面の簡単な説明】
【００１５】
【図１】本件発明の一実施の形態を示すカーポートの斜視図である。
【図２】同実施の形態の太陽光発電装置付き屋根において太陽電池ユニットの配置状態を示す模式図である。
【図３】図１のＡ−Ａ断面図である。
【図４】図３において太陽光発電装置と垂木との固定部分の拡大図である。
【図５】同実施の形態において屋根材の形成方法を示す図である。
【図６】図１のＢ−Ｂ断面図である。
【図７】（ａ）は中間アースブラケットの平面図、（ｂ）は中間アースブラケットの側面図である。
【図８】（ａ）は端アースブラケットの平面図、（ｂ）は端アースブラケットの側面図である。
【図９】同実施の形態の太陽光発電装置付き屋根において前側の軒樋と縦樋との接続状態を示す断面図である。
【図１０】太陽光発電装置で押さえられていない双方の屋根材の端部を押圧部材で押さえるときの分解斜視図である。
【発明を実施するための形態】
【００１６】
以下、本件発明の実施の形態を図にしたがって説明する。
【００１７】
図１は、本件発明の実施の形態を示すカーポート１の斜視図である。このカーポート１は、設置場所に立設されたカーポート本体２と、カーポート本体２の上側に設けられた本件発明の太陽光発電装置付き屋根３とを備えている。
【００１８】
カーポート本体２は、車両の出し入れ方向（前後方向）に並列して配置された複数の左右一組の柱２１，２１と、各組の柱２１，２１に結合した複数の梁２２（図２参照）とを有している。
【００１９】
図２と図３に示すように太陽光発電装置付き屋根３は、複数の梁２２に直交して前後方向に架設された三本以上の垂木３１と、隣接する垂木３１，３１間に配置された複数の屋根材３２、３２０と、これらの屋根材３２、３２０の上側に設けられた太陽光発電装置３３とを備えている。なお、図２では、屋根材３２、３２０を省略している。
【００２０】
図３に示すように垂木３１は断面角型の筒状に形成されている。図４に示すように垂木３１の上側部には取付溝３１ａが長さ方向に延設されている。この取付溝３１ａは断面凸型に形成されており、太陽光発電装置３３を垂木３１に固定するボルト１０の下部が嵌め込まれている。また、垂木３１の左右側部には、隣接する屋根材３２，３２、３２，３２０を垂木３１に固定するためのボルト１１の取付穴３１ｂが設けられている。
【００２１】
図３に示すように各屋根材３２、３２０は板状に形成されている。図４に示すように各屋根材３２、３２０の左右側部３２１，３２１は上方且つ外方へＬ字状に折り曲げられている。なお、図４では、左右側の屋根材３２０，３２０間に配置されている屋根材３２を示す。この左右側部３２１，３２１は、水平部分３２１ａ，３２１ａ（両端部）が垂木３１の上面の取付溝３１ａの左右側に当接し、垂直部分３２１ｂ，３２１ｂが垂木３１の対向側面に当接している。また、垂直部分３２１ｂには、垂木３１の取付穴３１ｂに対応して取付穴３２１ｃが設けられている。双方の取付穴３１ｂ、３２１ｃにはボルト１１が挿通されており、このボルト１１により屋根材３２が垂木３１に固定されている。
【００２２】
図３に示すように各屋根材３２、３２０の左右側部３２１，３２１以外の部分３２２は複数の梁２２に支持されている。
【００２３】
図４に示すように、各屋根材３２、３２０と複数の梁２２との間には振動吸収材３４が介在している。この振動吸収材３４は、風等で屋根材３２、３２０が振動したときにその振動を吸収するものである。
【００２４】
また、図３に示すように、これらの屋根材３２、３２０のうち、左右側の屋根材３２０，３２０間に配置されている屋根材３２は、二枚の屋根材３３２，３３２の端部を重ねて形成されている。この形成方法について図５（ａ）〜（ｄ）を用いて以下に説明する。
【００２５】
最初に、図５（ａ）に示すように一方の屋根材３３２を用意し、重ねる側の端部３３２ａを上方にＬ字状に折り曲げて、屋根材３３２を梁２２の上面の所定位置に配置する。
【００２６】
次に、図５（ｂ）に示すように、屋根材３３２の端部３３２ａに吊子３５を挟み、この状態で吊子３５を梁２２にボルト１５で固定する。この吊子３５は板状に形成されており、断面コ字型の挟持部３５ａと、挟持部３５ａの一端から水平に延びた水平部３５ｂとを備えている。挟持部３５ａは、屋根材３３２の端部３３２ａを上側から挟んで配置されている。水平部３５ｂは梁２２の上面に配置されてボルト１５で梁２２に固定されている。
【００２７】
次に、図５（ｃ）〜（ｄ）に示すように、もう一方の屋根材３３２を用意し、重ねる側の端部３３２ａを下方にコ字状に折り曲げる。そして、この端部３３２ａを吊子３５に上側から挟んで、屋根材３３２を梁２２の上面に配置する。
【００２８】
図３や図４に示すように太陽光発電装置３３は、各垂木３１の上面に当接している屋根材３２，３２、３２，３２０の両端部３２１ａ，３２１ａを各垂木３１の上面に押さえながら各垂木３１の上面にボルト１０で固定されている。以下に、太陽光発電装置３３の構成を説明する。
【００２９】
図２と図６に示すように太陽光発電装置３３は、下側に設けられた複数のアースブラケット３６，３７と、このアースブラケット３６，３７の内側に支持された複数の太陽電池ユニット３８と、隣接する太陽電池ユニット３８，３８に接続した複数の中間カバー３９と、前後側の太陽電池ユニット３８，３８に接続した端カバー４０，４０と、端カバー４０，４０に接続した棟カバー４１，４１とを備えている。
【００３０】
太陽光発電装置３３は、この複数のアースブラケット３６，３７を用いて各垂木３１の上面にボルト１０で固定されている。なお、本実施の形態では、図２に示すように二組（四個）のアースブラケット３６，３６（３６，３７）に対して一個の太陽電池ユニット３８が支持されている。
【００３１】
アースブラケット３６，３７は、各垂木３１の長さ方向および並び方向で対向して配置されている。このアースブラケット３６、３７はアース機能を備えている部材である。また、本実施の形態では、前後側に配置される端アースブラケット３７と、その間に位置する中間アースブラケット３６の二種類が使用されている。
【００３２】
中間アースブラケット３６は、図７（ａ）（ｂ）に示すように、取付部３６１と、取付部３６１の前後端に形成された一対の脚部３６２，３６２とを備えている。
【００３３】
取付部３６１は、水平部３６１ａと、水平部３６１ａの左右端から下方に折り曲げられて形成された押圧部３６１ｂ，３６１ｂとを備えている。図７（ａ）に示すように水平部３６１ａの中央部分には挿通穴３６１ｃが設けられている。この挿通穴３６１ｃには図６に示すようにボルト１０が挿通され、ボルト１０の下部には上方からナット１０ａが嵌め込まれて垂木３１の上面に固定されている。押圧部３６１ｂ，３６１ｂは、図４の括弧内に示すように屋根材３２，３２、３２，３２０の端部３２１ａ，３２１ａを各垂木３１の上面に押さえている。
【００３４】
脚部３６２，３６２は図７（ａ）に示すように取付部３６１よりも幅広に形成され、図７（ｂ）に示すように水平部３６１ａの前後端から下方へ且つ外方へ向けてＬ字状に屈曲されている。脚部３６２，３６２の下側部分３６２ａ，３６２ａは、図示しないが屋根材３２，３２、３２，３２０の端部３２１ａ，３２１ａを各垂木３１の上面に押さえている。また、下側部分３６２ａ，３６２ａの左右側にはアース用の爪３６２ｂ，３６２ｂが下方へ折り曲げられて形成されている。
【００３５】
端アースブラケット３７は、図８（ａ）（ｂ）に示すように、取付部３７１と、取付部３７１の前後端に形成された一対の脚部３７２，３７３とを備えている。
【００３６】
取付部３７１は、水平部３７１ａと、水平部３７１ａの左右端から下方へ折り曲げられて形成された押圧部３７１ｂ，３７１ｂとを備えている。図８（ａ）に示すように水平部３７１ａの中央部分には挿通穴３７１ｃが設けられている。この挿通穴３７１ｃには、図６に示すようにボルト１０が挿通されている。ボルト１０の下部には上方からナット１０ａが嵌め込まれて垂木３１の上面に固定されている。また、押圧部３７１ｂ，３７１ｂは、図４に示すように屋根材３２，３２、３２，３２０の端部３２１ａ，３２１ａを各垂木３１の上面に押さえている。
【００３７】
また、脚部３７２，３７３は、図８（ａ）に示すように取付部３７１よりも幅広に形成されており、中間アースブラケット３６側の脚部３７２が外側の脚部３７３よりも前後に長く形成されている。
【００３８】
中間アースブラケット３６側の脚部３７２は、図８（ｂ）に示すように水平部３７１ａの後端（または前端）から下方へ且つ外方へ向けてＬ字状に屈曲されている。この脚部３７２の下側部分３７２ａは図示しないが屋根材３２，３２、３２，３２０の端部３２１ａ，３２１ａを各垂木３１の上面に押さえている。また、下側部分３７２ａの左右側にはアース用の爪３７２ｂが下方へ折り曲げられて形成されている。
【００３９】
外側の脚部３７３は、図８（ｂ）に示すように水平部３７１ａの前端（または後端）から柄杓型に形成されている。この脚部３７３の下側部分３７３ａは、図示しないが屋根材３２，３２、３２，３２０の端部３２１ａ，３２１ａを各垂木３１の上面に押さえている。また、この脚部３７３は柄杓型に形成されていることにより、内部に嵌合部３７３ｂが形成されている。この嵌合部３７３ｂには図６に示すように棟カバー４１が嵌め込まれている。
【００４０】
次に、太陽電池ユニット３８について説明する。図６に示すように太陽電池ユニット３８は、太陽電池モジュール３８１と、太陽電池モジュール３８１を支持する支持枠３８２とを備えている。
【００４１】
太陽電池モジュール３８１は、周知のように、太陽電池パネル３８１ａと、太陽電池パネル３８１ａの外周部分を保持する枠体３８１ｂとを備えている。太陽電池パネル３８１ａにはケーブル（図示せず）の一端が接続され、このケーブルは例えば支持枠３８２内と柱２１内を通って柱２１の下部からパワーコンディショナー（図示せず）や住居（図示せず）に接続されている。
【００４２】
支持枠３８２は、太陽電池モジュール３８１の外周部分を保持するように枠状に形成されている。この支持枠３８２の内周側の上部には凹部３８２ａが設けられている。この凹部３８２ａには枠体３８１ｂが嵌め込まれており、これによって太陽電池モジュール３８１は支持枠３８２に支持されている。また、支持枠３８２の前後面の上部にはフック部３８２ｂ，３８２ｂが支持枠３８２の左右方向に延設されており、各フック部３８２ｂは先端が上方へ向いて形成されている。
【００４３】
支持枠３８２の下部３８２ｃは、隣接する中間アースブラケット３６，３６の脚部３６２，３６２の下側部分３６２ａ，３６２ａ、あるいは端アースブラケット３７の中間アースブラケット３６側の脚部３７２の下側部分３７２ａと中間アースブラケット３６の脚部３６２の下側部分３６２ａとに支持されている。
【００４４】
棟カバー４１，４１は全ての垂木３１の両端に架かるように形成されている。各棟カバー４１には、図６に示すように下面から内側面の下部にかけて凸部４１ａが形成されている。この凸部４１ａは棟カバー４１の左右方向に延びており、同じ端側の全ての端アースブラケット３７の嵌合部３７３ｂに嵌合している。また、各棟カバー４１の内側面の上部にも凸部４１ｂが形成されている。この凸部４１ｂも棟カバー４１の左右方向に延びており、その下面は端アースブラケット３７の上面（取付部３７１の上面）に当接している。また、凸部４１ｂの上面には溝部４１ｃが棟カバー４１の左右方向に形成されている。また、棟カバー４１の外側部４１ｄは曲面状に形成されている。
【００４５】
中間カバー３９は、中間アースブラケット３６を覆う部材である。中間カバー３９の上面には挿通穴３９ａが設けられている。この挿通穴３９ａにはボルト１０が挿通されており、ボルト１０の上部にはナット１０ａが上方から嵌め込まれて中間カバー３９の上面に固定されている。中間カバー３９の前後側には係止爪３９ｂ，３９ｂが設けられている。この係止爪３９ｂ，３９ｂは、隣接する太陽電池ユニット３８，３８の支持枠３８２，３８２のフック部３８２ｂ，３８２ｂに係止されており、これにより中間カバー３９は、太陽電池ユニット３８，３８間に固定されて中間アースブラケット３６を覆っている。
【００４６】
端カバー４０は、端アースブラケット３７を覆う部材である。端カバー４０の上面には挿通穴４０ａが設けられている。この挿通穴４０ａにはボルト１０が挿通されており、ボルト１０の上部にはナット１０ａが上方から嵌め込まれて端カバー４０の上面に固定されている。端カバー４０の前後側には係止爪４０ｂ，４０ｂが設けられている。この係止爪４０ｂ，４０ｂは、隣接する太陽電池ユニット３８の支持枠３８２のフック部３８２ｂと、棟カバー４１の溝部４１ｃとに係止されている。これにより端カバー４０は、太陽電池ユニット３８と棟カバー４０との間に固定されて端アースブラケット３７を覆っている。
【００４７】
以上説明したように本実施の形態の太陽光発電装置付き屋根３は、図３や図４に示したように、各垂木３１の上面に当接している屋根材３２，３２、３２，３２０の端部３２１ａ，３２１ａを太陽光発電装置３３で押さえながら太陽光発電装置３３を各垂木３１の上面に固定した。これにより、従来の太陽光発電装置付き屋根のように太陽光発電装置３３と各屋根材３２、３２０との間に取り付け部材を介在させる必要がなく、太陽光発電装置３３を各屋根材３２、３２０に固定する際の部品点数が削減される。よって、本実施の形態の太陽光発電装置付き屋根３は製造コストを抑えることができる。また、本実施の形態のカーポート１は、この太陽光発電装置付き屋根３を備えたことにより、従来の太陽光発電装置付き屋根を備えたカーポートに比べて製造コストを抑えることができる。
【００４８】
また、太陽光発電装置３３は、アースブラケット３６、３７を用いて屋根材３２，３２、３２，３２０の端部３２１ａ，３２１ａを各垂木３１の上面に押さえつつ各垂木３１の上面に固定されるようにした。したがって、アースブラケット３６、３７をアースをとる他に垂木３１への取付部材としても使用するので、新たに取付部材を設ける場合に比べて太陽光発電装置３３の製造にかかる部品点数を抑えることができる。よって、太陽光発電装置付き屋根３の製造コストをさらに抑えることができる。
【００４９】
また、太陽光発電装置３３は、アースブラケット３６、３７を覆うカバー（中間カバー３９、端カバー４０、棟カバー４１）を備えた。これにより、アースブラケット３６、３７は外部からの衝撃を防ぐことが可能になる。よって、太陽光発電装置付き屋根３の耐久性を高めることができる。
【００５０】
また、本実施の形態では、図４に示したように各屋根材３２、３２０と複数の梁２２との間に振動吸収材３４を介在させた。これにより、風等で屋根材３２、３２０が振動したときには振動吸収材３４により振動が吸収されるので、振動による不快音の発生を抑えることができる。
【００５１】
また、本実施の形態では、図２に示すように各垂木３１の後側にパラペット５０が結合されており、前側には軒樋５１が結合されている。
【００５２】
軒樋５１は、図９に示すように太陽光発電装置３３の上面から各屋根材３２、３２０内に入った雨水Ｗを受けるように形成されている。具体的に説明すると、軒樋５１は、軒樋本体５１ａの外側にパラペット５１ｂが一体化されて構成されている。また、軒樋本体５１ａの右側下部には縦樋５２が接続されている。軒樋５１内に集められた雨水はこの縦樋５２によって排出される。したがって、本実施の形態の太陽光発電装置付き屋根３は、軒樋５１と縦樋５２とにより、屋根材３２、３２０内に入った雨水Ｗを確実に排出することができる。
【００５３】
また、太陽光発電装置３３の前端と軒樋５１との間には隙間Ｓが設けられている。このため、太陽光発電装置３３の上面の雨水Ｗを軒樋５１内に流れ込みやすくなり、雨水の排出効率を高めることができる。なお、排出効率を高めるために太陽光発電装置付き屋根３の勾配を軒樋５１側（前側）に傾けることが好ましい。
【００５４】
以上、本件発明にかかる実施の形態を例示したが、この実施の形態は本件発明の内容を限定するものではない。また、本件発明の請求項の範囲を逸脱しない範囲であれば、各種の変更等は可能である。
【００５５】
例えば、本実施の形態では、各垂木３１の上面に当接している屋根材３２，３２、３２，３２０を全て太陽光発電装置３３で押さえるようにしたが、図１０に示すように一部の屋根材３２，３２（または３２，３２０）を太陽光発電装置３３で押さえない場合には押圧部材６１を用いることが好ましい。押圧部材６１は、屋根材３２，３２の上側から垂木３１の上部を覆うようにカバー状に形成されており、その上面にはボルト１０の挿通穴６１ａが形成されている。
【００５６】
押圧部材６１で屋根材３２，３２を押さえるときには、垂木３１の取付溝３１ａ内にボルト１０の頭部を配置する。次に、押圧部材６１の挿通穴６１ａにボルト１０を通して屋根材３２，３２の端部３２１ａ，３２１ａを押圧部材６１で対応する垂木３１の上面に押さえる。最後に、ボルト１０にワッシャー１０ｂ、ナット１０ａを嵌めて押圧部材６１を垂木３１に固定する。この押圧部材６１を使用することにより、本実施の形態の太陽光発電装置付き屋根３と同様の耐久性を得ることができる。
【００５７】
また押圧部材６１を屋根材３２，３２の上側から垂木３１の上部を覆うカバー状に形成したことにより、取付時に押圧部材６１が不用意に動いてしまうのを防ぐことができ、押圧部材６１の取付作業性を高めることができる。また、押圧部材６１により垂木３１の取付溝３１ａ内に雨水が入ってしまうのを防ぐこともできる。なお、押圧部材６１の形状はカバー状に限定する必要はなく、太陽光発電装置３３が押さえられていない屋根材３２，３２を押さえるように形成されていれば良い。
【００５８】
また、本実施の形態では、カーポート１に本件発明の太陽光発電装置付き屋根３を適用した場合について説明したが、カーポート１の他に物置等の小規模な建物に本件発明の太陽光発電装置付き屋根を適用しても良い。
【産業上の利用可能性】
【００５９】
以上説明したように本件発明の太陽光発電装置付き屋根およびカーポートは、製造コストを抑えることができる。したがって、本件発明を太陽光発電装置付き屋根の技術分野で十分に利用することができる。
【符号の説明】
【００６０】
１    カーポート
２    カーポート本体
３    太陽光発電装置付き屋根
２２    梁
３１    垂木
３２    屋根材
３３    太陽光発電装置
３４    振動吸収材
３６    中間アースブラケット
３７    端アースブラケット
３９    中間カバー
４０    端カバー
４１    棟カバー
５１    軒樋
５２    縦樋
６１    押圧部材
３２０    屋根材
３２１ａ    屋根材の端部
【図１】
0005620309.tif 000002
【図２】
0005620309.tif 000003
【図３】
0005620309.tif 000004
【図４】
0005620309.tif 000005
【図５】
0005620309.tif 000006
【図６】
0005620309.tif 000007
【図７】
0005620309.tif 000008
【図８】
0005620309.tif 000009
【図９】
0005620309.tif 000010
【図１０】
0005620309.tif 000011